(57)【要約】【課題】ケース内の水を排水する水抜き孔を通じて、雨水等がケース内に浸入することがない排水構造、及び、この排水構造を備えたケースを提供する。【解決手段】単一のケース内に電解水生成装置と、電解水生成装置に電源を供給する電気回路部を収容した電装ボックスとを備え、ケースの配管引出パネル及び食塩水タンク側パネルには導入口を備え、外気を導入して電気回路部を冷却する構成を備え、ケースの底板９０には外気と共に浸入する水を排水する複数の水抜き孔９４、９５を一列に備え、一列の水抜き孔９４、９５の裏側には樋状のカバー部材７０、７１を備え、カバー部材７０、７１には水抜き孔９４、９５と整合しない位置に排水孔７４、７５を備えた。【選択図】図７
2010107079.tif 000002
【特許請求の範囲】
【請求項１】
単一のケース内に機器と、該機器に電源を供給する電気回路部を収容した電装ボックスとを備え、前記ケースの側板には外気の導入口を備え、外気を導入して前記電気回路部を冷却する構成を備え、前記ケースの底板には外気と共に浸入する水を排水する複数の水抜き孔を一列に備え、一列の前記水抜き孔の裏側には樋状のカバー部材を備え、該カバー部材には前記水抜き孔と整合しない位置に排水孔を備えたこと、
を特徴とする排水構造。
【請求項２】
前記機器側に前記導入口を形成し、前記底板に前記機器及び前記電装ボックスを仕切る仕切り板を備え、前記仕切り板の機器側近傍に一列の前記水抜き孔を備えたこと、
を特徴とする請求項１に記載の排水構造。
【請求項３】
樋状の前記カバー部材が前記底板の裏側に幅一杯に延在することを特徴とする請求項１又は２に記載の排水構造。
【請求項４】
機器と、該機器に電源を供給する電気回路部を収容した電装ボックスとを収容した単一のケースにおいて、
前記ケースの側板には外気の導入口を備え、外気を導入して前記電気回路部を冷却する構成を備え、前記ケースの底板には外気と共に浸入する水を排水する複数の水抜き孔を一列に備え、一列の前記水抜き孔の裏側には樋状のカバー部材を備え、該カバー部材には前記水抜き孔と整合しない位置に排水孔を備えたこと、
を特徴とするケース。
【発明の詳細な説明】
【技術分野】
【０００１】
本発明は、ケース内に浸入した雨水などを排水する排水構造、及び、この排水構造を備えたケースに関する。
【背景技術】
【０００２】
従来、単一のケース内に機器と、該機器に電源を供給する電気回路部を収容した電装ボックスとを備えた装置が提案されている（例えば、特許文献１参照）。この種のものでは、ケースの側板に外気の導入口を備え、外気を導入して電気回路部を冷却する構成が一般に採用される。この構成では、ケース内に外気と共に雨水などが浸入するため、ケースの底板に複数の水抜き孔を設けて、雨水を水抜き孔から排水している。
【特許文献１】特開２０００−５５４１１号公報
【発明の開示】
【発明が解決しようとする課題】
【０００３】
しかしながら、従来の構成では、複数の水抜き孔を通じて、ケース内に例えば雨水が跳ね返って浸入する問題があった。
【０００４】
そこで、本発明の目的は、上述した従来の技術が有する課題を解消し、例えば雨水が跳ね返っても、水抜き孔を通じて、ケース内に浸入することがない排水構造、及び、この排水構造を備えたケースを提供することにある。
【課題を解決するための手段】
【０００５】
上記課題を解決するため、本発明は、単一のケース内に機器と、該機器に電源を供給する電気回路部を収容した電装ボックスとを備え、前記ケースの側板には外気の導入口を備え、外気を導入して前記電気回路部を冷却する構成を備え、前記ケースの底板には外気と共に浸入する水を排水する複数の水抜き孔を一列に備え、一列の前記水抜き孔の裏側には樋状のカバー部材を備え、該カバー部材には前記水抜き孔と整合しない位置に排水孔を備えたことを特徴とする排水構造を提供する。
この構成によれば、ケースの底板に一列に設けられた水抜き孔の裏側に、樋状のカバー部材が設けられ、カバー部材の排水孔は水抜き孔と整合しない位置に設けられるため、排水孔からカバー部材に浸入した雨水等が、排水孔から離れた位置にある水抜き孔に達することが無い。これにより、ケース内に外気と共に浸入する水を、水抜き孔から排水孔を経て排水可能であるとともに、排水孔からカバー部材内に浸入した雨水等のケース内への浸入を防ぐことが可能な排水構造を実現できる。また、一列の水抜き孔の裏側に樋状のカバー部材を設ける簡単な構成で排水構造を実現できる。
【０００６】
上記構成において、前記機器側に前記導入口を形成し、前記底板に前記機器及び前記電装ボックスを仕切る仕切り板を備え、前記仕切り板の機器側近傍に一列の前記水抜き孔を備えても良い。
この場合、仕切り板によって、機器側から導入口を介して浸入した雨水等をせき止めて、機器側の水抜き孔から雨水等を排水できる。これにより、電装ボックス側への雨水等の浸入を防止できる。
また、樋状の前記カバー部材が前記底板の裏側に幅一杯に延在しても良い。
この場合、一列の水抜き孔を、底板の幅一杯に延在するカバー部材により簡単にカバーできる。また、底板の幅一杯に設けられたカバー部材が底板の補強部材として機能し、底板の強度を向上できる。
【０００７】
また、本発明は、機器と、該機器に電源を供給する電気回路部を収容した電装ボックスとを収容した単一のケースにおいて、前記ケースの側板には外気の導入口を備え、外気を導入して前記電気回路部を冷却する構成を備え、前記ケースの底板には外気と共に浸入する水を排水する複数の水抜き孔を一列に備え、一列の前記水抜き孔の裏側には樋状のカバー部材を備え、該カバー部材には前記水抜き孔と整合しない位置に排水孔を備えたことを特徴とするケースを提供する。
この構成によれば、ケースの底板に一列に設けられた水抜き孔の裏側に、樋状のカバー部材が設けられ、カバー部材の排水孔は水抜き孔と整合しない位置に設けられるため、排水孔からカバー部材に浸入した雨水等は、排水孔から離れた位置にある水抜き孔に達することが無い。これにより、ケース内に外気と共に浸入する水を、水抜き孔から排水孔を経て排水可能であるとともに、排水孔からカバー部材内に浸入した雨水等のケース内への浸入を防ぐことが可能な排水構造を実現できる。また、一列の水抜き孔の裏側に樋状のカバー部材を設ける簡単な構成で排水構造を実現できる。
【発明の効果】
【０００８】
本発明によれば、ケース内の水を排水する水抜き孔を通じて、雨水等がケース内に浸入することがない排水構造、及び、この排水構造を備えたケースを提供できる。
【発明を実施するための最良の形態】
【０００９】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器２１（図２）で熱交換された後、供給口１１１及び給気ダクト１０５を通じて、吹出口１０４から調和空気として映画館１００内に供給される。
【００１０】
空気調和機１１０は、例えば、映画館、劇場、病院、または、ショッピングセンタ等、不特定多数の人が長時間滞在する大空間施設を有する構造物２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１１】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、機械室である一方の室１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１２】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１３】
空気調和機１１０には、利用側送風機２２の運転により、利用側熱交換器２１で冷房または暖房された調和空気を除菌する除菌ユニット１５０が設けられており、本実施形態では、空気調和機１１０と、空気調和機１１０内に設けられた除菌ユニット１５０とを備えて空気調和除菌システムが構成される。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水循環供給部５とを備えている。
【００１４】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０の空気除菌部４に設けられた気液接触部材（図示略）を通過する際に電解水と接触することにより除菌され、除菌された空気が後室１２１、供給口１１１及び給気ダクト１０５を通じて、映画館１００内に循環供給される。
【００１５】
続いて、空気調和機１１０のより具体的な実施態様を説明する。
図４は、本実施形態における電解水循環供給部５の構成及び設置状態を示す外観斜視図である。理解の便宜を図るため、図４には熱源側ユニット１及び利用側ユニット２と、電解水循環供給部５と熱源側ユニット１及び利用側ユニット２との間に敷設される配管類とを、併せて図示する。
除菌ユニット１５０（図２）は、除菌室１２０内に配置される空気除菌部４と除菌室１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
【００１６】
図４に示すように、電解水循環供給部５は、熱源側ユニット１及び利用側ユニット２とは別体として構成されるケース５０を有し、この単一のケース５０に、電解水を貯留する貯水タンク５１、所定のイオン種を含む食塩水を貯留する食塩水タンク５９、及び、電装ボックス３０を収容して構成される。電解水循環供給部５と除菌室１２０との間には、電解水循環供給部５から除菌室１２０に対して電解水を供給する電解水供給管５６、及び、除菌室１２０から電解水が電解水循環供給部５へ環流する循環水戻り管５５が接続されている。また、電解水循環供給部５には、市水（水道水）を電解水循環供給部５へ供給する給水管５７が、減圧弁５７Ａを介して接続されている。さらに、電解水循環供給部５には、貯水タンク５１内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
【００１７】
図５は、電解水循環供給部５の構成を示す分解斜視図である。
図５に示すように、電解水循環供給部５のケース５０は直方体であり、ケース５０内の奥側、すなわち、除菌室１２０に近い側に、貯水タンク５１及び食塩水タンク５９が並べて配置され、手前側に電装ボックス３０が配置されている。貯水タンク５１及び食塩水タンク５９は比較的大型に形成され、ケース５０内の奥行方向の半分以上を占めている。電装ボックス３０は、貯水タンク５１と食塩水タンク５９より手前側において、電装ボックス側パネル５０Ｅと略平行に延在している。
【００１８】
また、ケース５０内には、貯水タンク５１内の水を電気分解して電解水を生成する電解ユニット５２と、貯水タンク５１内の電解水を空気除菌部４に供給する電解水供給管５６（図４）と、電解水供給管５６上に設けられた送水ポンプ５３と、送水ポンプ５３の下流側で電解水供給管５６から分岐して電解ユニット５２に接続される分岐管（図示略）と、空気除菌部４から戻る電解水を貯水タンク５１に導く循環水戻り管５５（図４）と、電解ユニット５２、送水ポンプ５３等の動作を制御する制御部（図示略）とを備えている。
【００１９】
電解水を生成する電解水生成装置４５（機器）は、電解ユニット５２が貯水タンク５１の側面に貯水タンク５１と一体的に固定配置されて構成されている。電解ユニット５２は、有底円筒形状の本体ケースと、本体ケース内に収納される少なくとも一対の電極板（図示略）とを備え、これら電極板間に電圧を印加することにより、水を電気分解して活性酸素種を含む電解水を生成させる。
【００２０】
ケース５０はその上面が着脱可能な蓋５０Ａとなっていて、底部を構成する底板９０の縁部に、側面を構成する４つの側板がそれぞれ立設されている。これら４つの側板は、複数の配管が引き出される配管引出パネル５０Ｃ、配管引出パネル５０Ｃと対向する食塩水タンク側パネル５０Ｄ、電装ボックス３０の側に位置する電装ボックス側パネル５０Ｅ、及び、ケース５０の奥側に位置する背面パネル５０Ｆにより構成されている。ここで、ケース５０の奥側とは、除菌室１２０が配置された側を指す。また、図４に示すように、底板９０の下面には、配管引出パネル５０Ｃ及び食塩水タンク側パネル５０Ｄに沿って延在する支持台４９がそれぞれ設けられ、支持台４９によって支持されるケース５０は、底板９０が浮いた状態で設置されている。
【００２１】
配管引出パネル５０Ｃは、貯水タンク５１が設置された側の側面に相当し、電解水循環供給部５の外部と貯水タンク５１とに繋がる各種配管を通すための複数の孔が開口している。
さらに、配管引出パネル５０Ｃには、側面視において機器としての電解水生成装置４５と重なる位置、すなわち、機器側の位置に、ケース５０内外に連通する導入口８８が設けられ、導入口８８からケース５０内に空気が導入される。導入口８８は、２列に並んで配管引出パネル５０Ｃの下部に形成されている。また、導入口８８は、その開口部が上方から覆われるように鎧戸状に形成されているため、導入口８８からの雨水の浸入が抑制される。また、図５には図示していないが、食塩水タンク側パネル５０Ｄにも、導入口８８と対向する位置に導入口８８と同一形状の導入口が設けられている。
【００２２】
また、電装ボックス側パネル５０Ｅは背面パネル５０Ｆとは反対側に面する側面であり、配管引出パネル５０Ｃ及び配管引出パネル５０Ｃの端を折り曲げて形成したカバー取付部５０Ｇにネジ止めされている。
蓋５０Ａは、図示しない複数のネジ等により固定され、このネジを取り外すことによって開くことが可能である。蓋５０Ａの開放状態では、ケース５０の内部に収容された電装ボックス３０、貯水タンク５１、送水ポンプ５３、食塩水タンク５９、供給ポンプ６１等の各部へのアクセスが可能となる。
【００２３】
蓋５０Ａは、屋外に設置される電解水循環供給部５への雨水及び塵埃の侵入を防止するため、ケース５０の上面および各側面の上端を覆っている。このため、配管引出パネル５０Ｃ及び電装ボックス側パネル５０Ｅを取り外す場合は、まず蓋５０Ａを取り外すことになる。蓋５０Ａを取り外すと、最初に電装ボックス側パネル５０Ｅが取り外し可能な状態になり、電装ボックス側パネル５０Ｅを取り外すと配管引出パネル５０Ｃが取り外し可能な状態となる。また、貯水タンク５１は、その上方を覆う蓋部材（図示略）により密閉される。
【００２４】
電装ボックス側パネル５０Ｅを取り外すと、ケース５０内における手前側に設けられた電装ボックス３０が露出する。電装ボックス３０は、直方体に形成され、その底面３０Ｂがケース５０の底板９０から浮くように、食塩水タンク側パネル５０Ｄにブラケット３５を介して固定され、電装ボックス３０の下方の空間には、供給ポンプ６１及び送水ポンプ５３が並べて設置されている。
電装ボックス３０には、上述の制御部を構成するマイコン等が実装された制御基板３１Ａ及び、電解水生成装置４５と送水ポンプ５３と供給ポンプ６１とに電源を供給する電源回路部３１Ｂを備えた電気回路部３３が収容されている。電装ボックス３０の手前側の面を構成する電装ボックスカバー３０Ａを取り外すと、電装ボックス３０の一側面が開放され、電装ボックス３０に収容された電気回路部３３へのアクセスが可能になる。
【００２５】
電装ボックス３０の底面３０Ｂには、電装ボックス３０の内外に連通する通気口３０Ｃが設けられ、ケース５０内に導入された空気は通気口３０Ｃから電装ボックス３０内に導かれる。また、電装ボックス３０の側面において食塩水タンク側パネル５０Ｄと面する排気側側面３０Ｄには、電装ボックス３０の外側に連通する排気口３０Ｅが設けられ、排気口３０Ｅは、食塩水タンク側パネル５０Ｄに設けられた排気孔（図示略）と繋がっている。さらに、上記排気孔には、この排気孔を覆うフード（図示略）が取り付けられており、排気孔からの雨水等の浸入が防止されている。このように、電装ボックス３０は、通気口３０Ｃ及び排気口３０Ｅを有し、ケース５０内の空気が電装ボックス３０内を通過可能に構成されている。これにより、電装ボックス３０内を通過する気流によって電気回路部３３を冷却することができる。
【００２６】
供給ポンプ６１は、食塩水供給管６０を介して食塩水タンク５９の内部に繋がる吸込口６１Ａと、貯水タンク５１の食塩水投入部８５に繋がる吐出口６１Ｂとを有し、吸込口６１Ａから吸い込んだ食塩水を吐出口６１Ｂから吐出する。供給ポンプ６１の脚部６１Ｃは底板９０に固定されている。
送水ポンプ５３は、貯水タンク５１内の電解水を吸い込む吸込口５３Ａと、吸込口５３Ａから吸い込んだ電解水を除菌室１２０へ吐出する吐出口５３Ｂとを有する。また、吐出口５３Ｂから吐出された電解水の一部は分岐して電解ユニット５２へ供給される。送水ポンプ５３の脚部５３Ｃは底板９０に固定されている。
貯水タンク５１の電装ボックス３０側の面には、電解ユニット５２が取り付けられるとともに、供給ポンプ６１により送出された食塩水が投入される食塩水投入部８５、及び、貯水タンク５１内の電解水を供給する電解水供給口（図示略）が配置されている。
【００２７】
また、電装ボックス３０の下方に設置された供給ポンプ６１及び送水ポンプ５３は、電装ボックス３０の底面３０Ｂに穿設された配線通し孔３７を通る配線（図示略）によって電源回路部３１Ｂに接続される。
【００２８】
また、貯水タンク５１の配管引出パネル５０Ｃ側の面には、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図４）に排出させる開口部である。循環水戻り口８４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００２９】
貯水タンク５１の内部は仕切壁６４によって区画され、仕切壁６４には貫通孔が設けられており、この貫通孔にはスケールフィルタ６６が取り付けられ、電解水は電解ユニット５２側の室から他方の室へスケールフィルタ６６を通って流れる。スケールフィルタ６６の下流側の室には、電解水の液面レベルを検出する複数のフロートスイッチＦＳが取り付けられている。
【００３０】
図６は、ケース５０の底板９０をその上方から見た斜視図である。図６においては、電装ボックス３０、貯水タンク５１及び食塩水タンク５９が設置される位置を２点鎖線でそれぞれ示している。
底板９０は、貯水タンク５１や送水ポンプ５３等が固定される長方形の板部９０Ａと、板部９０Ａの縁部から下方に向けて立設された４つの側面部９０Ｂとを有し、板部９０Ａの長手方向に延びる２つの側面部９０Ｂからは、支持台４９に固定されるフランジ部９０Ｃが延びている。
【００３１】
底板９０は、電装ボックス３０が配置されるボックス配置部９１と、電解水生成装置４５及び食塩水タンク５９が配置される機器配置部９２とを有している。ボックス配置部９１と機器配置部９２との間には、ボックス配置部９１と機器配置部９２とを仕切る仕切り板９３が設けられている。仕切り板９３は、電装ボックス側パネル５０Ｅと略平行に底板９０に立設されており、その幅が底板９０の幅と同程度に形成されて、ボックス配置部９１と機器配置部９２とを底板９０の幅方向に極力隙間が生じないように仕切っている。
【００３２】
ボックス配置部９１には、上述のように、電装ボックス３０が底板９０から浮いた状態で設けられるとともに、送水ポンプ５３及び供給ポンプ６１が底板９０に固定された状態で設けられている。また、貯水タンク５１及び食塩水タンク５９は、それぞれの底部が底板９０に接した状態で底板９０に固定されている。また、貯水タンク５１と食塩水タンク５９とは、隙間Ｓをあけて配置されている。さらに、貯水タンク５１は、仕切り板９３、配管引出パネル５０Ｃ及び背面パネル５０Ｆとの間に隙間Ｓをあけて配置され、食塩水タンク５９は、仕切り板９３、食塩水タンク側パネル５０Ｄ及び背面パネル５０Ｆとの間に隙間Ｓをあけて配置されている。
【００３３】
底板９０には、ケース５０の外側に貫通する円形の水抜き孔９４、９５、９６が設けられ、ケース５０は、これら水抜き孔９４、９５、９６からケース５０の外側に外部からケース５０内に入った雨水等を排出可能である。
水抜き孔９４は、ボックス配置部９１において、電装ボックス側パネル５０Ｅ側の端に、電装ボックス側パネル５０Ｅと平行に一列に並んで形成されている。また、水抜き孔９４はケース５０の幅方向の両端にそれぞれ形成され、２箇所に位置している。水抜き孔９５は、機器配置部９２において、仕切り板９３の近傍で仕切り板９３と平行に一列に並んで形成されている。また、水抜き孔９５は、ケース５０の幅方向の両端の２箇所と、貯水タンク５１と食塩水タンク５９との間の隙間Ｓの近傍の１箇所に形成されている。水抜き孔９６は、機器配置部９２において、背面パネル５０Ｆ側の端の１箇所に形成されている。
【００３４】
図７は、底板９０の水抜き孔９４を含む要部の斜視図である。図８は、底板９０をケース５０の下方側から見た平面図である。
底板９０の裏面側、すなわち、板部９０Ａにおけるケース５０の外側には、水抜き孔９４、９５をその裏側から覆うカバー部材７０、７１がそれぞれ設けられている。カバー部材７０は、水抜き孔９４の下方において、水抜き孔９４の一列の並びに沿って設けられ、カバー部材７１は、水抜き孔９５の下方において、水抜き孔９５の一列の並びに沿って設けられている。また、カバー部材７０、７１は、直線的に延びる樋状の部材であり、底板９０の裏面側において、配管引出パネル５０Ｃの側の側面部９０Ｂから、食塩水タンク側パネル５０Ｄの側の側面部９０Ｂまで底板９０の幅一杯に延在している。さらに、カバー部材７０、７１の高さは、側面部９０Ｂの高さよりも小さく形成されており、カバー部材７０、７１は底板９０の下端から出っ張らないように構成されている。
【００３５】
カバー部材７０、７１は、その樋形状の凹部７３がそれぞれ水抜き孔９４、９５の側を向いて取り付けられ、水抜き孔９４、９５を経てケース５０の下方に落ちる水等を、カバー部材７０、７１により一旦受けるように構成されている。
カバー部材７０、７１には、凹部７３を貫通する排水孔７４、７５がそれぞれ複数形成されており、水抜き孔９４、９５を経てカバー部材７０、７１に達した水等は、排水孔７４、７５から外側へ排水される。
図８に示すように、カバー部材７０の複数の排水孔７４は、平面視において、複数の水抜き孔９４からそれぞれずれた位置、すなわち、水抜き孔９４と整合しない位置に一列に形成されている。また、排水孔７４は、２つの水抜き孔９４よりもケース５０の中央側に、２箇所に形成されている。
カバー部材７１の複数の排水孔７５は、それぞれ、平面視において複数の水抜き孔９５と整合しない位置に一列に形成されている。また、排水孔７５は、２つの水抜き孔９５よりもケース５０の中央側に、２箇所に形成されている。
【００３６】
図９は、排水構造の部分断面図である。
カバー部材７０、７１は、板部９０Ａと平行に延びるフランジ７６を有し、フランジ７６を介して底板９０に固定される。フランジ７６は、カバー部材７０、７１の幅方向の端のほぼ全体に亘って形成されている。
【００３７】
ケース５０は、上述のように、導入口８８を有し、導入口８８からは外気とともに雨水等の水がケース５０内に浸入する可能性がある。また、ケース５０は、電装ボックス側パネル５０Ｅ、食塩水タンク側パネル５０Ｄ及び配管引出パネル５０Ｃ等をネジ止めにより組み立てて構成されるため、パネルとパネルとの隙間から雨水等がケース５０内に浸入する可能性がある。
【００３８】
ケース５０内においては、その内部に浸入した水は、水抜き孔９４、９５から排水される。詳細には、導入口８８から機器配置部９２に浸入した水は、隙間Ｓ（図６）を通って水抜き孔９５、９６に達し、水抜き孔９５からケース５０の下方に流れた水は、カバー部材７１に達し、その後、図８に矢印Ｙで示すように、凹部７３中を排水孔７５へ流れ、ケース５０の外側へ排水される。水抜き孔９６から下方に流れる水は、そのまま外部に排水される。また、機器配置部９２に浸入した水は、仕切り板９３（図６）によりせき止められるため、機器配置部９２の水がボックス配置部９１に達することを防止できる。これにより、電気回路部３３の近傍に水が浸入することを防止できる。さらに、機器配置部９２に浸入する水としては、貯水タンク５１や食塩水タンク５９に貯留された水が考えられ、この水が機器配置部９２に浸入した場合においても、水は隙間Ｓを経て水抜き孔９５、９６から速やかに排水される。
また、ボックス配置部９１に水が浸入した場合、水抜き孔９４に達した水は、図８に矢印Ｙで示すように、カバー部材７０の凹部７３中を排水孔７４へ流れ、ケース５０の外側へ排水される。
【００３９】
また、上述のように、ケース５０は支持台４９によって浮いた状態で設置されており、例えば、地面から跳ね返った雨水等により、ケース５０がその下方からの飛び水等に晒される場合、水抜き孔９４、９５、９６からケース５０内に水が浸入する可能性が考えられる。
しかしながら、本実施の形態の電解水循環供給部５によれば、水抜き孔９４、９５を板部９０Ａの裏側から覆うカバー部材７０、７１に設けられた排水孔７４、７５が水抜き孔９４、９５と整合しない位置にあるため、ケース５０の下方からの飛び水等が水抜き孔９４、９５に浸入することが無い。詳細には、ケース５０の下方からの飛び水の大部分は、カバー部材７０、７１により弾かれる。そして、図９に示すように、排水孔７４、７５から、矢印Ｚで示す飛び水がカバー部材７０、７１の内部に浸入したとしても、この飛び水は、排水孔７４、７５とは整合しない位置に離れている水抜き孔９４、９５に達することが無く、一旦カバー部材７０、７１内に留まり、その後、排水孔７４、７５から排出される。これにより、ケース５０内の水を水抜き孔９４、９５及び排水孔７４、７５から排水可能でありながら、ケース５０内の下方からの飛び水が水抜き孔９４、９５からケース５０内に浸入することを防止可能な排水構造を実現できる。
【００４０】
以上、本実施形態によれば、ケース５０の底板９０に一列に設けられた水抜き孔９４、９５の裏側に、カバー部材７０、７１が設けられ、カバー部材７０、７１の排水孔７４、７５はそれぞれ水抜き孔９４、９５と整合しない位置に設けられるため、排水孔７４、７５からカバー部材７０、７１に浸入した雨水等は、排水孔７４、７５からそれぞれ離れた位置にある水抜き孔９４、９５に達することが無い。これにより、ケース５０内に外気と共に浸入する水を、水抜き孔９４、９５から排水孔７４、７５を経て排水可能であるとともに、排水孔７４、７５からカバー部材７０、７１内に浸入した雨水等のケース５０内への浸入を防ぐことが可能な排水構造を実現できる。また、一列の水抜き孔９４、９５の裏側に樋状のカバー部材７０、７１を設ける簡単な構成で排水構造を実現できる。
【００４１】
また、仕切り板９３によって、機器配置部９２の側から導入口８８を介して浸入した雨水等をせき止めて、水抜き孔９５から雨水等を排水できる。これにより、ボックス配置部９１の側への雨水等の浸入を防止できる。
さらに、一列の水抜き孔９４、９５を、底板９０の幅一杯に延在するカバー部材７０、７１により簡単にカバーできる。また、底板９０の幅一杯に設けられたカバー部材７０、７１が底板９０の補強部材として機能し、底板９０の強度を向上できる。
【００４２】
以上、実施形態に基づいて本発明を説明したが、本発明はこれに限定されるものではない。例えば、本実施の形態では、水抜き孔９４は、ボックス配置部９１において、電装ボックス側パネル５０Ｅ側の端に、電装ボックス側パネル５０Ｅと平行に一列に並んで形成され、水抜き孔９５は、機器配置部９２において、仕切り板９３の近傍で仕切り板９３と平行に一列に並んで形成されているものとして説明したが、本発明はこれに限定されるものではない。水抜き孔９４、９５はそれぞれ底板９０上に一列に形成されれば良く、水抜き孔９４、９５を形成する場所は、電装ボックス側パネル５０Ｅ側の端及び仕切り板９３の近傍に限定されない。
また、上記実施の形態では、機器配置部９２に、貯水タンク５１、電解ユニット５２及び食塩水タンク５９を配置するものとして説明したが、本発明はこれに限定されるものではない。機器配置部９２に配置される機器は、電装ボックス３０に収容された電気回路部３３によって電源を供給される機器であれば特に限定されない。その他の細部構成等についても任意に変更可能であることは勿論である。
【図面の簡単な説明】
【００４３】
【図１】本実施形態に係るルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水循環供給部の構成を示す分解斜視図である。
【図６】ケースの底板をその上方から見た斜視図である。
【図７】底板の水抜き孔を含む要部の斜視図である。
【図８】底板をケースの下方側から見た平面図である。
【図９】排水構造の部分断面図である。
【符号の説明】
【００４４】
３０  電装ボックス
３３  電気回路部
４５  電解水生成装置（機器）
５０  ケース
５０Ｃ  配管引出パネル
５０Ｄ  食塩水タンク側パネル
５１  貯水タンク
５２  電解ユニット
７０、７１  カバー部材
７４、７５  排水孔
８８  導入口
９０  底板
９３  仕切り板
９４、９５、９６  水抜き孔
【図１】
2010107079.tif 000003
【図２】
2010107079.tif 000004
【図３】
2010107079.tif 000005
【図４】
2010107079.tif 000006
【図５】
2010107079.tif 000007
【図６】
2010107079.tif 000008
【図７】
2010107079.tif 000009
【図８】
2010107079.tif 000010
【図９】
2010107079.tif 000011